(57)【特許請求の範囲】
【請求項１】
シート状の媒体を搬送路に給紙する給紙口において、
前記媒体の給紙方向と交差する幅方向に対して、前記給紙される媒体が挿入される開口部の両端に、前記給紙方向及び前記幅方向と直交する高さ方向に沿った前記搬送路側からの長さが前記幅方向の両端部側から中央部側に向かうにしたがって短くなる傾斜面が設けられたことを特徴とする、
給紙口。
【請求項２】
前記傾斜面は、前記給紙方向の上流側端が前記幅方向の両端部側から中央部側に向かうにしたがって前記給紙方向の上流側に向かって突出する、
請求項１に記載の給紙口。
【請求項３】
前記媒体を前記開口部に案内する案内面を有するシュータを備え、
前記シュータは、前記傾斜面と前記案内面とがなす角度が、前記傾斜面と当該傾斜面と対向する搬送面とがなす角度より、小さくなるように設けられる、
請求項１又は請求項２に記載の給紙口。
【請求項４】
請求項１乃至請求項３のいずれか１項に記載の給紙口と、
前記給紙口から給紙された前記媒体の画像を読み取る読取装置とを備えることを特徴とする、
画像読取装置。
【発明の詳細な説明】
【技術分野】
【０００１】
本発明は、給紙口及び画像読取装置に関するものである。
【背景技術】
【０００２】
用紙などのシート状の媒体を給紙する従来の給紙口やこの給紙口から給紙された媒体の画像を読み取る従来の画像読取装置として、特許文献１には装置の前面に設けられた手差し口（給紙口）から挿入される手差しシート材を本体搬送路に直交する方向から搬送するための手差し搬送路を備えた画像形成装置、特許文献２には用紙や原稿等を画像形成装置本体へ挿入する部位に用紙や原稿等をその略全幅方向で上方から押さえ得るガイド部材が突設された画像形成装置、特許文献３には手差し用紙又は原稿を下側から支える下側ガイド部材に一定間隔を隔てて対向し前端縁が両端部側に進むにつれて後方へ後退する形状を有する上側ガイド部材が設けられた手差し挿入ガイドがそれぞれ開示されている。
【先行技術文献】
【特許文献】
【０００３】
【特許文献１】特許第２５６６６５０号公報
【特許文献２】特開２００２−６８５３４号公報
【特許文献３】特開平１０−７２９２号公報
【発明の概要】
【発明が解決しようとする課題】
【０００４】
ところで、上述のような特許文献１に記載の画像形成装置、特許文献２に記載の画像形成装置、特許文献３に記載の手差し挿入ガイドなどでは、例えば、原稿にいわゆるコーナーカールが生じた場合などに、より確実に簡単に原稿を給紙できるように更なる改善が望まれていた。
【０００５】
そこで本発明は、媒体を給紙しやすくすることができる給紙口及び画像読取装置を提供することを目的とする。
【課題を解決するための手段】
【０００６】
上記目的を達成するために、本発明による給紙口は、シート状の媒体を搬送路に給紙する給紙口において、前記媒体の給紙方向と交差する幅方向に対して、前記給紙される媒体が挿入される開口部の両端に、前記給紙方向及び前記幅方向と直交する高さ方向に沿った前記搬送路側からの長さが前記幅方向の両端部側から中央部側に向かうにしたがって短くなる傾斜面が設けられたことを特徴とする。
【０００７】
また、上記給紙口では、前記傾斜面は、前記給紙方向の上流側端が前記幅方向の両端部側から中央部側に向かうにしたがって前記給紙方向の上流側に向かって突出するものとすることができる。
【０００８】
また、上記給紙口では、前記傾斜面は、前記給紙方向及び前記幅方向と直交する高さ方向に沿った前記搬送路側からの長さが前記幅方向の両端部側から中央部側に向かうにしたがって短くなるものとすることができる。
【０００９】
また、上記給紙口では、前記媒体を前記開口部に案内する案内面を有するシュータを備え、前記シュータは、前記傾斜面と前記案内面とがなす角度が、前記傾斜面と当該傾斜面と対向する搬送面とがなす角度より、小さくなるように設けられるものとすることができる。
【００１０】
参考例として、給紙口は、シート状の媒体を搬送路に給紙する給紙口において、前記媒体の給紙方向と交差する幅方向に対して、前記給紙される媒体が挿入される開口部の両端に、前記媒体の前記給紙方向下流側の先端との当たり角が鋭角となる傾斜面が設けられる場合がある。
また、上記給紙口では、前記当たり角は、前記媒体と前記傾斜面とが前記給紙方向の上流側でかつ前記搬送路とは反対側でなす角度であるものとすることができる。
【００１１】
上記目的を達成するために、本発明による画像読取装置は、上記給紙口と、前記給紙口から給紙された前記媒体の画像を読み取る読取装置とを備えることを特徴とする。
【発明の効果】
【００１２】
本発明に係る給紙口及び画像読取装置によれば、媒体を給紙しやすくすることができる。
【図面の簡単な説明】
【００１３】
【図１】図１は、実施形態１に係る画像読取装置の概略構成例を示す模式的構成図である。
【図２】図２は、図１に示す読取部本体のＡ―Ａ矢視図である。
【図３】図３は、図１に示す読取部本体のＢ―Ｂ矢視図である。
【図４】図４は、図２に示す読取部本体のＣ―Ｃ矢視図である。
【図５】図５は、図２に示す読取部本体のＤ―Ｄ断面図である。
【図６】図６は、図２に示す読取部本体のＥ―Ｅ断面図である。
【図７】図７は、図２に示す読取部本体のＦ―Ｆ断面図である。
【図８】図８は、図２に示す読取部本体のＧ―Ｇ断面図である。
【図９】図９は、図２に示す読取部本体のＨ―Ｈ断面図である。
【図１０】図１０は、実施形態１に係る給紙口の作用を説明する模式図である。
【図１１】図１１は、変形例に係る画像読取装置の模式図である。
【図１２】図１２は、変形例に係る画像読取装置の模式図である。
【発明を実施するための形態】
【００１４】
以下に、本発明に係る給紙口及び画像読取装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１５】
［実施形態１］
図１は、実施形態１に係る画像読取装置の概略構成例を示す模式的構成図、図２は、図１に示す読取部本体のＡ―Ａ矢視図、図３は、図１に示す読取部本体のＢ―Ｂ矢視図、図４は、図２に示す読取部本体のＣ―Ｃ矢視図、図５は、図２に示す読取部本体のＤ―Ｄ断面図、図６は、図２に示す読取部本体のＥ―Ｅ断面図、図７は、図２に示す読取部本体のＦ―Ｆ断面図、図８は、図２に示す読取部本体のＧ―Ｇ断面図、図９は、図２に示す読取部本体のＨ―Ｈ断面図、図１０は、実施形態１に係る給紙口の作用を説明する模式図、図１１、図１２は、変形例に係る画像読取装置の模式図である。なお、以下の説明では、特に断りのない限り、媒体を画像読取装置に給紙する方向を「給紙方向」、給紙方向と交差ここでは直交する方向を「幅方向」、給紙方向及び幅方向と直交する方向を「高さ方向」という。給紙方向は、画像読取装置の副走査方向、媒体の長さ方向に相当し、幅方向は、画像読取装置の主走査方向、媒体の幅方向に相当し、高さ方向は、媒体の厚み方向に相当する。
【００１６】
本実施形態の給紙口１は、図１に示すように、画像読取装置２に適用され、用紙などの所定のサイズのシート状の媒体としての原稿Ｓを搬送路３に給紙するものである。画像読取装置２は、例えば、イメージスキャナ、複写機、ファクシミリ、文字認識装置などに適用される。画像読取装置２は、給紙口１と、搬送路３と、読取部本体４と、原稿台５と、制御装置６とを含んで構成される。読取部本体４は、搬送装置７、読取装置としての光学ユニット８などを含んで構成される。画像読取装置２は、給紙口１から給紙され搬送装置７によって搬送される原稿Ｓの画像を光学ユニット８によって読み取るものである。
【００１７】
給紙口１は、シート状の原稿Ｓを搬送路３に給紙するものであり、給紙される原稿Ｓが挿入される開口部９を有している。言い換えれば、給紙口１は、光学ユニット８によって画像を読み取る原稿Ｓを搬送路３に給紙するものである。典型的には、給紙口１は、ユーザがいわゆる手差しによって原稿Ｓを画像読取装置２の搬送路３に給紙するためのものである。この場合、ユーザは、給紙口１の開口部９に原稿Ｓの先端を挿入する。
【００１８】
搬送路３は、給紙口１から給紙された原稿Ｓを搬送するための通路である。搬送路３は、高さ方向に対して読取部本体４と原稿台５との間に形成される。
【００１９】
読取部本体４、原稿台５は、ともに外形が幅方向に長い矩形柱状に形成される。読取部本体４と原稿台５とは、高さ方向に対向して設けられ、この高さ方向に沿った対向面の間に上記搬送路３が形成される。読取部本体４は、高さ方向に対して原稿台５と対向する面（高さ方向下面）に後述のローラ１０の外周面が露出している。また、原稿台５は、高さ方向に対して読取部本体４と対向する面（高さ方向上面）に搬送路３を区画する搬送面１１が形成される。ローラ１０の外周面と搬送面１１とは、搬送路３にて高さ方向に沿って上下に対向する。
【００２０】
制御装置６は、マイクロコンピュータを中心として構成され、画像読取装置２の各部を制御するものである。制御装置６は、例えば、原稿台５の筐体内部に内蔵される。
【００２１】
搬送装置７は、給紙口１から搬送路３に給紙された原稿Ｓを光学ユニット８へ向けて搬送するものであり、ローラ１０を含んで構成される。ローラ１０は、上述したように、外周面の一部が搬送路３に露出するようにして読取部本体４の筐体内部に設けられる。ローラ１０は、複数個設けられる。ローラ１０は、例えばモータなどの駆動源を含む駆動部から動力が伝達されることで回転駆動する。搬送装置７は、制御装置６の制御により駆動部が駆動しギヤや駆動軸などを介してローラ１０に動力が伝達されることでこのローラ１０が回転駆動する。そして、搬送装置７は、ローラ１０の外周面と搬送面１１との間に原稿Ｓを挟持すると共に、ローラ１０が回転駆動することで搬送路３にて原稿Ｓを搬送する。
【００２２】
光学ユニット８は、搬送装置７により搬送された原稿Ｓの画像を読み取るものである。光学ユニット８は、例えば、読取部本体４の筐体内部に内蔵される。光学ユニット８は、光源１２と、イメージセンサ１３とを備える。光源１２は、例えば、ＬＥＤなどの発光手段であり、読取窓１４を介して画像読取対象としての原稿Ｓに光を照射する。イメージセンサ１３は、光源１２により照射され原稿Ｓで反射した反射光を受光し、電気信号に変換することで画像データを読み取る。イメージセンサ１３は、例えば、光を受光して電荷を発生させる複数の光電変換素子を幅方向（長手方向）に沿って一列に配置したリニアイメージセンサ（一次元イメージセンサ）としてＣＣＤラインセンサなどを用いることができる。光学ユニット８は、この光電変換素子の配列方向、すなわち、イメージセンサ１３の長手方向が走査方向となる一方、この走査方向と直交する方向、すなわち、原稿Ｓの搬送方向が副走査方向となる。光学ユニット８は、イメージセンサ１３によって原稿Ｓ上の画像を光学的に走査し、電気信号に変換して画像データとして読み取り、読み取った画像データを制御装置６に送信する。
【００２３】
上記のように構成される画像読取装置２では、給紙口１から給紙され搬送装置７によって搬送される原稿Ｓは、光学ユニット８によって走査方向に沿った１読取ライン毎に画像が読み取られる。そして、画像読取装置２は、原稿Ｓが光学ユニット８のイメージセンサ１３に対する相対的な移動を継続することで、副走査方向に沿って順次画像を読み取っていき、最終的に原稿Ｓ上の二次元画像データを読み取ることができる。
【００２４】
なお、この画像読取装置２は、給紙口１にシュータ１５が備えられている。シュータ１５は、原稿Ｓを給紙口１の開口部９に案内する案内面１６を有する。これにより、給紙口１は、シュータ１５によって、原稿Ｓの先端が開口部９側に案内されることから、原稿Ｓを開口部９に挿入し易くすることができ、原稿Ｓの挿入性を向上することができる。ここでは、シュータ１５は、案内面１６が搬送面１１とほぼ平行でかつ給紙方向上流側で連続するように設けられる。また、シュータ１５は、例えば、案内面１６が搬送面１１に対してほぼ垂直となる位置まで回動することで収容可能であり、これにより、画像読取装置２の不使用時には画像読取装置２をよりコンパクトにすることができる。
【００２５】
また、この画像読取装置２は、例えば、搬送路３の給紙方向下流側、すなわち、排紙側に設けられたガイド部材１７を開閉することで、直線搬送と屈曲搬送とを切り替えることができる。画像読取装置２は、例えば、図１に一点鎖線で示すようにガイド部材１７を展開することで、原稿Ｓを屈曲させて搬送し排紙することができ、これにより、原稿Ｓの排紙スペースの分だけ設置スペースを省スペース化することができる。また、画像読取装置２は、ガイド部材１７を収納することで、原稿Ｓを直線状に搬送し排紙することができ、これにより、比較的剛性が高い原稿Ｓや厚い原稿Ｓが破損してしまうことを防止することができる。
【００２６】
ところで、本実施形態の給紙口１、画像読取装置２は、図１に示すように、給紙口１の開口部９の形状を適正に形成することで、例えば、原稿Ｓにいわゆるコーナーカールが生じた場合などであっても、より確実に簡単に原稿Ｓを給紙できるように改善し、原稿Ｓをより給紙しやすくしている。なおここで、コーナーカールとは、原稿Ｓの幅方向両端の角がたわんだり折れ曲がったりしてカールした状態のことをいう。
【００２７】
具体的には、給紙口１は、開口部９に原稿Ｓの給紙方向下流側の先端との当たり角θが鋭角となる傾斜面１８が設けられる。傾斜面１８は、読取部本体４の筐体に形成される。原稿Ｓとの当たり角θが鋭角となる傾斜面１８は、少なくとも開口部９の幅方向両端に設けられる。ここでは、傾斜面１８は、幅方向に沿って延在して形成され、開口部９の幅方向の全体にわたって設けられている。傾斜面１８は、高さ方向に沿った搬送面１１からの距離が給紙方向上流側から下流側に行くにしたがって徐々に短くなる（狭くなる）形状に形成される。
【００２８】
より具体的に言えば、当たり角θは、給紙方向に沿った断面視にて、原稿Ｓの給紙方向先端と傾斜面１８との接触箇所で、原稿Ｓと傾斜面１８とが給紙方向の上流側でかつ搬送路３（さらに言えば搬送面１１）とは反対側でなす角度である。つまり、傾斜面１８は、副走査方行に沿った断面形状において、原稿Ｓと傾斜面１８とが給紙方向の上流側でかつ搬送路３とは反対側でなす角度である当たり角θが９０°より小さくなるように形成される。
【００２９】
これにより、この給紙口１、画像読取装置２は、少なくとも開口部９の幅方向両端に原稿Ｓとの当たり角θが鋭角となる傾斜面１８が設けられることから、例えば、原稿Ｓにコーナーカールが生じた場合などであっても、開口部９にて原稿Ｓの角が引っ掛かることを抑制することができる。この結果、給紙口１、画像読取装置２は、例えば、別個に他の給紙ガイド部材等を設けることなく、開口部９の形状を傾斜面１８により改善することで、装置の大型化を抑制しつつ、言い換えれば、装置を小型化した上で、手差しによる原稿Ｓの開口部９への挿入性を向上することができ、より確実に簡単に原稿を給紙することができるので、原稿Ｓを給紙しやすくすることができる。
【００３０】
なお例えば、ユーザが片手持ちで原稿Ｓを持って開口部９に挿入しようとする場合、一般的に、ユーザは、原稿Ｓの中央部をつかむ傾向にあり、これにより原稿Ｓの幅方向両端側がたわむおそれがある。しかしながら、給紙口１、画像読取装置２は、例えば、片手持ちにより原稿Ｓがたわんだ場合であっても原稿Ｓにコーナーカールが生じた場合と同様に、開口部９にて原稿Ｓの角が引っ掛かることを抑制することができ、原稿Ｓを給紙しやすくすることができる。
【００３１】
また、傾斜面１８は、図２、図４乃至図９に示すように、給紙方向の上流側端が幅方向の両端部側から中央部側に向かうにしたがって給紙方向の上流側に向かって突出する形状をなしている。傾斜面１８は、幅方向両端における給紙方向上流側端の位置を基準とした当該給紙方向上流側端の給紙方向上流側への突出長さを突出量Ｌとした場合、この突出量Ｌが幅方向の位置に応じて変化する。すなわち、傾斜面１８は、幅方向の両端部側から中央部側に向かうにしたがって突出量Ｌが徐々に大きくなり、これにより、前ツバ壁面１９を形成している。
【００３２】
前ツバ壁面１９は、傾斜面１８の給紙方向の上流側端に連続する壁面であり、ここでは高さ方向に沿って傾斜面１８の上側（搬送路３とは反対側）に延在する。前ツバ壁面１９は、上記のように幅方向中央部が給紙方向上流側に突出し、ここでは給紙方向に沿って湾曲した壁面をなす。言い換えれば、前ツバ壁面１９は、傾斜面１８の給紙方向の上流側端が幅方向両端部側に進むにつれて給紙方向下流側に後退する形状をなす。
【００３３】
これにより、この給紙口１、画像読取装置２は、例えば、コーナーカールが生じている原稿Ｓを開口部９に挿入する際に、原稿Ｓの角のカール部分が前ツバ壁面１９に当接し、このまま原稿Ｓが給紙方向下流側に進められることで、原稿Ｓがローラ１０に到達するまでにカール部分の形状が補正される。すなわちこのとき、給紙口１、画像読取装置２は、原稿Ｓが給紙方向下流側におしすすめられるのに伴って、図１０の模式図に矢印で示すように、前ツバ壁面１９から原稿Ｓに外側に押し広げるような力が作用し、これにより原稿Ｓの角のカールやたわみが幅方向外側に押し広げられ補正（矯正）される。そして、給紙口１、画像読取装置２は、カール部分の形状が適正な形になおされた後に原稿Ｓがローラ１０の外周面と搬送面１１との間に挟まれて搬送される。よって、給紙口１、画像読取装置２は、開口部９の高さ以上のカールに対しては前ツバ壁面１９がこのカールを補正し、これにより、開口部９の傾斜面１８と原稿Ｓとの当たり角θが鋭角となる高さまでカールの高さを補正することができる。なお、前ツバ壁面１９は、原稿Ｓの角のカールやたわみの補正する際には原稿Ｓとほぼ点で接触するのに対して、上述の開口部９の傾斜面１８は、原稿Ｓの角のカールやたわみの補正する際には原稿Ｓとほぼ線で接触するため、開口部９の傾斜面１８による補正効果のほうが前ツバ壁面１９による補正効果より高くなる傾向にある。
【００３４】
また、傾斜面１８は、図３、図４乃至図９に示すように、高さ方向に沿った搬送路３側からの長さが幅方向の両端部側から中央部側に向かうにしたがって短くなる形状をなしている。傾斜面１８は、高さ方向の下側端（高さ方向の搬送面１１側の端）を基準とした上側端（高さ方向の搬送面１１とは反対側の端）までの高さ方向に沿った長さを高さＨとした場合、この高さＨが幅方向の位置に応じて変化する。すなわち、傾斜面１８は、幅方向の両端部側から中央部側に向かうにしたがって高さＨが徐々に短くなる。これにより、傾斜面１８は、下側端が平坦となる一方、上側端が幅方向中央部にて高さ方向下側（搬送面１１側）に向けて凸となるように、言い換えれば、幅方向両端部にて高さ方向上側（搬送面１１とは反対側）に向けて凸となるように湾曲した形状となる。つまり、傾斜面１８と搬送面１１との高さ方向に沿った間隔（開口部９の高さ）は、幅方向の両端部側から中央部側に向かうにしたがって狭くなる。
【００３５】
給紙口１、画像読取装置２は、例えば、原稿Ｓの幅方向中央部にはカールなどが生じにくい傾向にあることから、上記のように幅方向の両端部側から中央部側に向かうにしたがって傾斜面１８の高さＨを短くすることができ、言い換えれば、開口部９の高さを短くすることができる。
【００３６】
給紙口１、画像読取装置２は、上記のような前ツバ壁面１９が設けられると共に幅方向の両端部側から中央部側に向かうにしたがって傾斜面１８の高さＨが短くなることで、例えば、前ツバ壁面１９を備えず高さＨを変化させない場合と比較して、開口部９の傾斜面１８の傾斜角度を相対的に小さくすることができる。そして、給紙口１、画像読取装置２は、原稿Ｓが最初に挿入される傾向にある幅方向中央部における挿入性を向上させることができ、装置のサイズを大きくすることなくより効果的に原稿Ｓの挿入性を向上させることができる。すなわち、原稿Ｓは、最初に幅方向中央部が開口部９に挿入されやすい傾向にあるため、この幅方向中央部が確実に開口部９に挿入されることで、傾斜面１８と原稿Ｓとの当たり角θが鋭角となることによって原稿Ｓの引っ掛かりを抑制しカールやたわみを取り除く効果や前ツバ壁面１９によって原稿Ｓを幅方向外側に押し広げて補正する効果をより大きくすることができる。
【００３７】
以上で説明した実施形態に係る給紙口１によれば、シート状の原稿Ｓを搬送路３に給紙する給紙口１において、原稿Ｓの給紙方向と交差する幅方向に対して、給紙される原稿Ｓが挿入される開口部９の両端に、原稿Ｓの給紙方向下流側の先端との当たり角θが鋭角となる傾斜面１８が設けられる。
【００３８】
以上で説明した実施形態に係る画像読取装置２によれば、上記給紙口１と、給紙口１から給紙された原稿Ｓの画像を読み取る光学ユニット８とを備える。
【００３９】
したがって、給紙口１、画像読取装置２は、少なくとも開口部９の幅方向両端に原稿Ｓとの当たり角θが鋭角となる傾斜面１８が設けられることから、開口部９にて原稿Ｓの角が引っ掛かることを抑制することができ、原稿Ｓを給紙しやすくすることができる。
【００４０】
なお、上述した本発明の実施形態に係る給紙口及び画像読取装置は、上述した実施形態に限定されず、請求の範囲に記載された範囲で種々の変更が可能である。
【００４１】
給紙口１、画像読取装置２は、図１１の変形例に示すように、前ツバ壁面１９が直線状の形状をなしていてもよい。つまり、前ツバ壁面１９は、幅方向中央部が給紙方向上流側に突出したＶ字型の形状をなしていてもよい。
【００４２】
また、以上の説明では、シュータ１５は、傾斜面１８と案内面１６とがなす角度が、傾斜面１８と搬送面１１とがなす角度と同等となるように設けられるものとして説明したがこれに限らない。すなわち、給紙口１、画像読取装置２は、図１２の変形例に示すように、原稿Ｓを開口部９に案内する案内面１６を有するシュータ１５を備え、シュータ１５は、搬送面１１に対して案内面１６が傾斜するように設けられる。つまり、シュータ１５は、傾斜面１８と案内面１６とがなす角度αが、傾斜面１８と搬送面１１とがなす角度βより、小さくなるように設けられるものであってもよい。ここで、搬送面１１は、給紙方向及び幅方向と直交する高さ方向に沿って傾斜面１８と対向する面である。
【００４３】
この場合、給紙口１、画像読取装置２は、シュータ１５の案内面１６により原稿Ｓの開口部９への進入角度を適正に調節することができ、原稿Ｓと傾斜面１８とがなす当たり角θをより確実に鋭角にすることができるので、開口部９にて原稿Ｓの角が引っ掛かることをより確実に抑制することができる。
【産業上の利用可能性】
【００４４】
以上のように、本発明に係る給紙口及び画像読取装置は、媒体を給紙しやすくすることができるものであり、種々の給紙口及び画像読取装置に用いて好適である。
【符号の説明】
【００４５】
１    給紙口
２    画像読取装置
３    搬送路
４    読取部本体
５    原稿台
６    制御装置
７    搬送装置
８    光学ユニット（読取装置）
９    開口部
１０    ローラ
１１    搬送面
１２    光源
１３    イメージセンサ
１４    読取窓
１５    シュータ
１６    案内面
１７    ガイド部材
１８    傾斜面
１９    前ツバ壁面
Ｌ    突出量
Ｓ    原稿（媒体）
θ    当たり角
【図１】
0005393496.tif 000002
【図２】
0005393496.tif 000003
【図３】
0005393496.tif 000004
【図４】
0005393496.tif 000005
【図５】
0005393496.tif 000006
【図６】
0005393496.tif 000007
【図７】
0005393496.tif 000008
【図８】
0005393496.tif 000009
【図９】
0005393496.tif 000010
【図１０】
0005393496.tif 000011
【図１１】
0005393496.tif 000012
【図１２】
0005393496.tif 000013